(57)【特許請求の範囲】
【請求項１】
動作条件データを受け取り、該動作条件データに対応する制御信号を撮像装置に出力する制御モジュールに接続する信号条件付けモジュール（１３７、３３７）であって、
前記動作条件データを表示し、変更する、遠隔の表示／入出力構成要素（２３５）により前記動作条件データが変更されたことに応答して、変更された前記動作条件データをオペレータコンソール（１４０）のディスプレイ（１４２）に表示させる手段と、
前記オペレータコンソール（１４０）と前記遠隔の表示／入出力構成要素（２３５）との間で動作条件データの値が不一致である時点を決定する手段と、
該不一致が存在すると判定した場合、複数の動作条件データの内のどの動作条件データが修正されたかを特定する手段と、
該特定された修正値を収集する手段と、
該特定された修正に規制上の必要性の変更を加え、前記オペレータコンソール（１４０）又は前記遠隔の表示／入出力構成要素（２３５）に変更された修正値を送る手段と、
を備え、
前記信号条件付けモジュール（１３７、３３７）は、前記オペレータコンソール（１４０）と、前記制御モジュールとの間に結合され、現場プログラム可能かつ再プログラム可能であり、
前記制御モジュールは、前記変更された動作条件データを受け取り、該変更された動作条件データに対応する制御信号を前記撮像装置に出力する、
信号条件付けモジュール（１３７、３３７）。
【請求項２】
前記遠隔の表示／入出力構成要素（２３５）と前記動作条件データを前記オペレータコンソール（１４０）の前記ディスプレイ（１４２）に表示させる手段（１３７）は、第１のリンクを介して接続され、
前記制御モジュールと前記オペレータコンソール（１４０）は、第２のリンクを介して接続され、
前記制御モジュールと前記表示させる手段（１３７）は、第３のリンクを介して接続され、
前記第１、第２及び第３のリンクの少なくとも１つはシリアルデータ交換機能を含む、請求項１に記載の信号条件付けモジュール（１３７、３３７）。
【請求項３】
前記遠隔の表示／入出力構成要素（２３５）と前記オペレータコンソール（１４０）は、前記撮像装置により収集された画像を表示する、
求項１または２に記載の信号条件付けモジュール（１３７、３３７）。
【請求項４】
前記撮像装置と、
前記制御モジュールと、
前記遠隔の表示／入出力構成要素（２３５）と、
前記ディスプレイ（１４２）に結合した前記オペレータコンソール（１４０）と、
請求項１乃至３のいずれかに記載の信号条件付けモジュール（１３７、３３７）と、
を備える、
システム（１００）。
【請求項５】
前記表示させる手段（１３７）に結合させた不揮発性メモリ（１５８、３５１）をさらに備えると共に、該不揮発性メモリ（１５８、３５１）は１つまたは複数のプロセッサ（１３０、３３０、９０２）によって実行させたときに、前記遠隔の表示／入出力構成要素（２３５）及び前記ディスプレイ（１４２）に対して前記動作条件データの修正を可能にするグラフィカルユーザインタフェース（６００、７００、８００）を提供させるコンピュータ読み取り可能命令を含んでいる、請求項４に記載のシステム（１００）。
【請求項６】
前記遠隔の表示／入出力構成要素（２３５）がモバイルＰＣである、
請求項４または５に記載のシステム（１００）。
【請求項７】
請求項１乃至３のいずれかに記載の信号条件付けモジュール（１３７、３３７）を備える撮像システム（１００）における信号条件付けのための処理法であって、
遠隔の表示／入出力構成要素（２３５）において前記動作条件データを表示し、変更可能にする工程と、
前記動作条件データが変更されたことに応答して、変更された前記動作条件データをオペレータコンソール（１４０）のディスプレイ（１４２）に表示させる工程と、
前記制御モジュールが、前記変更された動作条件データを受け取り、該変更された動作条件データに対応する制御信号を前記撮像装置に出力する工程と、
を含む処理法。
【請求項８】
前記撮像システム（１００）はＸ線放射システム（１００）を含むと共に、前記信号条件付けモジュール（１３７、３３７）は、１つまたは複数のプロセッサ（１３０、３３０、９０３）によって実行したときに該１つまたは複数のプロセッサ（１３０、３３０、９０２）に対して、ディジタルＸ線放射検出器（１１０）によるアナログＸ線放射検出器の差し替えに準拠するように信号を条件付けさせるコンピュータ読み取り可能命令を保存するように構成させた不揮発性メモリ（１５８、３５１）を含む、請求項７に記載の処理法。
【請求項９】
前記表示／制御モジュール（１３５、３３５）あるいは前記オペレータコンソール（１４０）のいずれかを用いて実施されるピークキロボルト、ミリアンペア、ミリアンペア秒及び／または別のＸ線曝射パラメータの選択をその他のシステム（１００）構成要素と同期させる工程を含む、請求項７または８に記載の処理法。
【発明の詳細な説明】
【技術分野】
【０００１】
本開示は、全般的には既存のシステムの機能の強化や拡張に関連する懸念、とりわけ追加的なモジュールとの連係に関する懸念に関し、また具体的には既存のシステムに対する修正に応答してシステムの構成要素間での情報交換機能の拡張に関し、またさらに詳細には医学的診断で利用されるツールを含む非破壊式モバイル評価ツールのコンテキストにおいてこれを促進するための技法に関する。
【背景技術】
【０００２】
多くの医学的診断は、患者の内部や臓器のステータスを記述した情報（多くの場合に画像の形態をとる）を提供するために非侵襲的な診断ツールに頼っている。これらのツールには、サーマル式撮像（例えば、マンモグラフィ）、超音波探触子、磁気共鳴撮像技法、陽電子放出断層、コンピュータ断層（ＣＴ）、単一光子放出コンピュータ断層（ＳＰＥＣＴ）、並びに光学式撮像及び／またはＸ線放射ベースの技法が含まれる。侵襲を最小限にした幾つかの例では、使用している非破壊式撮像技法（複数の技法のこともある）からの利用可能なデータ内容の増加を支援するために、コントラスト強調薬剤などの撮像支援材を対象や患者内に導入している。
【０００３】
これらのツールのそれぞれは、個別の状況において利点を示しており、技術的な限界を有しており、セットアップ及び解析の時間を要することがあり、リスクを含む可能性があり、かつまた関連したコストを伴う。その結果、ある具体的な診断軌道に関する緊急度も反映する費用便益分析が、Ｘ線放射ベースの計測技法の利用にとって有利となることが多い。
【０００４】
しかし、Ｘ線放射に対する曝露は検査対象や患者に対して何らかのリスクを生じさせる可能性がある。少なくともこの理由のために、患者、臓器あるいは評価／撮像対象上に入射するＸ線放射の線量は、例えば、Ｘ線管に対する電流（ｍＡまたはミリアンペア）に曝射時間（秒単位）を掛けた値である電流−時間の積（ミリアンペア秒またはｍＡｓ）、Ｘ線管に印加するピーク電圧（ｋＶｐまたはキロボルトピーク）などの変数を用いること、並びにそのタスク及び検査対象や患者のパラメータに基づいてマスキングを介して患者に対する健康リスクや撮像対象に対する放射線被曝を最小にした好結果の撮像が提供されるように曝露させる領域を選択かつ規定することによって慎重に選択されかつ制御されることが多い。食品医薬品局により最近、Ｘ線放射が発ガン性効果を有する可能性があると特定されたことで、迅速であり効果的でありかつ正確な診断支援を可能とさせる撮像特性を依然として提供できる一方で総被曝を低減させることに対する要求が高まっている。
【０００５】
幾つかの要因によってＸ線放射手順に由来する画質は影響を受ける。Ｘ線放射ベースの画像の形成においては、Ｘ線放射源の特性及びＸ線放射発生条件に由来する統計光子ノイズが他のノイズ発生源を圧倒する傾向がある。様々な画像部分間での適当なコントラストの実現と整合させた信号条件付け並びにコントラスト強調技法もまた、診断画像の提供に関する重要な検討事項であると共に、これらの問題は線量及び／または光子エネルギーを低下させるに伴って益々高度な処置を必要としている。
【０００６】
医用Ｘ線放射撮像に関する主要な原則の１つは、曝射条件の決定に関して画質を慎重に検討すべきであることである。曝射検討事項には、画像を提供するために検査対象や患者に与えられるＸ線放射線量に対する所定の線量基準を含む。したがって、検出器上に入射する各Ｘ線曝射ごとに高い画質を提供するには、医用Ｘ線放射撮像のために使用される検出器の設計及び動作を、検査対象の質量、不透明度、その他に関する変数を含む個別のタスク及び計測条件に応答して調整すべきである。しかし、Ｘ線放射ベースの撮像システムなどの医用診断ツールは、精度が高い器機であり、極めて慎重に設計されており、また厳しい標準に合わせて構築されている。このため、こうした種類の撮像システムはかなり資本投資を意味する。さらに、こうした装置を維持し較正するため、これらの診断ツールを操作するため、並びにこれから得られたデータを解釈するためのスタッフを訓練することにも、追加的な投資が伴う。さらに、データが収集されて比較的分かり易く文書化したコンテキストで処理されていると、ある判定と別の判定の間や、ある時期と別の時期の間でデータを比較することも大いに促進される。同時に、技術的な発展が、新規開発の高度なテクノロジーのサブシステムを用いた改修によって既存のインフラ構成要素を活用できる機会を提供することがあり、またさらにこれによって、初めの設計や配備の時点で企図していたシステム構成要素の集合体に存在していなかった機能が容易になることもある。
【０００７】
例えば、Ｘ線放射システムや、別の非破壊式で極めて非侵襲的特性のデバイスは、前世紀以降にその機能の劇的な変化が確認される。１８９５年のＣ．Ｗ．レントゲン氏のＸ線放射画像の観察以前では想像できなかった医用診断機能によって、強力かつ顕著に有益な探求、研究及び開発が推進されて、医学的処置機能が向上し、これが全く新たな医学専門分野や処置選択肢の構想及び後続の成熟につながる重要な役割を演じることとなった。
【０００８】
この探求から得られた新規ツールの１つは、画素分割されたＸ線放射検出器（得られた画像内の画像要素すなわち画素の少なくとも一部分をその各々が個々に表している複数の検出器素子からなる幾何学配列を備えた検出器）を利用する。これらの検出器は、特に医学的撮像においてその利用が増え続けている。とりわけ、これらによって、システムを利用して得られた画像やその他のデータに対するディジタル表現が促進され、さらにこれによって、ディジタル信号処理、データ保存及びデータ伝送テクノロジーが可能となる。
【０００９】
テクノロジーのこうした革新による重要な成果の１つは、医学的に重要な事象に続く「ゴールデンタイム」と呼ばれる期間中に複数の医師などの専門家間でリアルタイムで協議できる可能性や機能が大いに強化されたことである。このように情報をディジタル形式で表現することによって、計測過程から得られたデータに明瞭度のロスを生じさせずに情報の送信、受信及び標準化表示が容易になると共に、さらに送受信過程に由来するノイズの低減が大いに容易になる。これによって他方、例えば予期せぬ災害後の優先順位などの極端な状況であっても地理的に分散した場所にいる複数の専門家が事実上即時に協働する機能が容易になる。その結果、これらの機能は、既存の診断用機器の内部に新たなサブシステムを導入しようとする強力な後押しとなる。
【００１０】
しかし、こうしたサブシステムの実施形態を組み入れることは、そのシステム自体の内部である種の不適合性を生じさせることがある。さらに、最新の進歩を取り込んだモジュールの追加の動機付けとなる要因に直接影響があるもの以外のシステム動作性能のアスペクトが、全体的なシステム性能、動作及びメンテナンスの問題に何らかの微妙で予見できない影響を与える可能性がある。
【発明の開示】
【発明が解決しようとする課題】
【００１１】
上述した理由、並びに本開示を読みかつ理解すれば当業者には明らかとなるような以下で検討する別の理由により、医用機器などの設定に関する厳しく厳正となりつつある動作性能及び経済的標準に対応するためにシステム入出力及び／またはメンテナンス情報の修正を提供する必要性が当技術分野に存在する。
【課題を解決するための手段】
【００１２】
本明細書は上述の短所、欠点及び問題に対処するものであり、以下の開示を読みかつ検討することにより理解されよう。
【００１３】
一態様では、システム内に挿入するように構成された信号条件付けモジュールを開示する。本信号条件付けモジュールは、システムの修正に応答してシステム構成要素間の情報交換機能を拡張するための機能を提供する。本信号条件付けモジュールは、複数の表示構成要素に対して協調情報を供給し、該複数の表示構成要素のそれぞれによって表示される情報を同期させるための第１のリンクと、非破壊式撮像システムに関する制御システムの内部に協調化データを供給し、該内部データを複数の構成要素のそれぞれによって表示される情報と同期させるための第２のリンクと、システムが実行する非破壊式撮像タスクに関連する画像及び該画像に関連するデータを含む協調記述をメモリに供給するための第３のリンクと、を含む。
【００１４】
別の態様では、非破壊式撮像システムのコンテキストで動作する信号条件付けのための処理法は、表示／制御モジュール、少なくとも１つのオペレータコンソール及びプロセッサの間において、表示／制御モジュールと撮像システムの別の構成要素の間に挿入された信号条件付けモジュールを介して交換される信号を条件付けする工程を含む。この条件付け工程は、表示／制御モジュールあるいはオペレータコンソールのいずれかを介して選択される値をその他のシステム構成要素に関連するアナログ値と協調化することを含む。本処理法はさらに、協調値をメモリ内に保存する工程を含む。保存されるこの協調値は、該協調値のうちの少なくとも幾つかを制御パラメータとして使用することによって撮像システムを用いて形成した画像にリンクさせている。
【００１５】
さらに別の態様では、製品は、１つまたは複数のプロセッサによって実行させたときに該１つまたは複数のプロセッサに対して、Ｘ線放射システム内の１つまたは複数の構成要素の改訂に応答してＸ線放射システム内の信号条件付けモジュールの信号交換機能を修正させるコンピュータ読み取り可能命令を含んだコンピュータコードを具現化したコンピュータ読み取り可能な媒体を含む。この信号条件付けモジュールは、少なくとも１つの表示／制御モジュール、少なくとも１つのオペレータコンソール及び少なくとも１つのシステム制御装置の間に結合させている。この命令はさらに、１つまたは複数のプロセッサに対して、表示／制御モジュール、オペレータコンソール及びシステム制御装置の少なくとも１つを介して選択した値を表示／制御モジュール、オペレータコンソール及びシステム制御装置の別の少なくとも１つのアナログ値と協調させている。
【００１６】
様々な趣旨のシステム、クライアント、サーバ、処理法及びコンピュータ読み取り可能媒体について本明細書に記載している。添付の図面を参照すると共に以下の詳細な説明を読めば、この要旨に記載した態様及び利点以外の別の態様及び利点も明らかとなるであろう。
【発明を実施するための最良の形態】
【００１７】
以下の詳細な説明では、本明細書の一部を形成すると共に、実施可能な特定の実施形態を一例として図示している添付の図面を参照することにする。これらの実施形態は、当業者が実施形態を実現できるように十分に詳細に記載しており、さらにこれら実施形態の趣旨を逸脱することなく、別の実施形態が利用されることがあること、並びに論理的、機械的、電気的その他の変更が実施されることがあること、を理解すべきである。
【００１８】
本明細書で使用する場合に「照射（ｉｌｌｕｍｉｎａｔｉｏｎ）」という用語は光子、電磁波放射、Ｘ線放射、音子（例えば、超音波による音波発射）あるいは人の目に見える光に必ずしも対応しない別の波動現象に対する曝露を意味する。本明細書に記載したパラメータ値のレンジは、これらの域内に属するすべての下位レンジを含むものと理解される。以下の詳細な説明はしたがって、限定の意図と取るべきではない。
【００１９】
この詳細な説明は６つのセクションに分かれている。第１セクションでは、システムレベルの概要について記載する。第２セクションでは、適応可能なシステム構成要素について記載する。第３セクションでは、処理法の実施形態について記載する。第４セクションでは、システムにとって有用となり得るグラフィカルユーザインタフェースについて記載する。第５セクション、実施形態をそれらと連係して実施され得るハードウェア及び動作環境について記載する。第６セクションでは、詳細な記述に関する結論を提供する。本明細書に開示したシステム及び処理法の技術的効果には、Ｘ線放射システムにおけるデータ及び制御信号の交換に関するプログラム可能な拡張機能の少なくとも１つが含まれる。
［Ｉ．システム概要］
図１は、Ｘ線放射撮像操作を向上させるように構成された修正型システム１００の概要に関する簡略図である。具体的にシステム１００は、従来のＸ線放射撮像システムや処理法と比較して使用する放射線量を低減しながら、Ｘ線放射に基いて非破壊式撮像システムからディジタル化画像を提供するように構成されている。システム１００は任意選択で、Ｘ線その他の非破壊式内部撮像照射などの照射１０６を提供できるＸ線放射照射源などの照射源１０４に対するガントリ１０２や別の支持体を含んでおり、また任意選択では、照射１０６に対して透過性でありかつシンチレータ１０９の上側に位置している検査対象支持体１０８と、照射源１０４のさらに反対側にある検出器１１０と、を含むことができる。別法として、シンチレータを必要としない直接変換検出器１１０を利用することもある。
【００２０】
一実施形態では、システム１００の構成要素と検査対象１１２は、ガントリ１０２によってある規定された幾何学的相互関係に維持されている。照射源１０４と検出器１１０の間の距離は追求する検査の種類に応じて可変とすることができ、また検査対象１１２を基準とした照射１０６の角度は、希望する撮像の性質に応じた撮像ができるように身体に対して調整することが可能である。
【００２１】
一実施形態では、検査対象支持体１０８はシンチレータ１０９／検出器１１０の上側で、生きている人や動物患者や非破壊式撮像に適した別の検査対象１１２などの検査対象１１２を支持する及び／または検査対象１１２の制御式移動を生じさせるように構成されており、これによって検査対象１１２を通過した後の照射１０６’をシンチレータ１０９／検出器１１０上に入射させることができる。一方、検出器アレイ１１０から得た情報は検査対象１１２の内部の様子を記述している。
【００２２】
シンチレータ１０９は、アモルファスシリコンなどの半導体材料を用いて形成したフォトダイオードと適当な制御トランジスタからなる２次元アレイなどのフォトダイオードのアレイ（以下の図２及び３）、あるいはＸ線放射などの使用している照射１０６の種類（複数のこともある）での使用に適した別の任意の形態の検出器１１０と光学的に結合された従来のＣｓＩシンチレータ１０９とすることがある。これらの検出器素子は、典型的にはモザイク状に配列させている。シンチレータ１０９は蛍光と若干類似する方式（今日使用されている多くの可視光源のコンテキストでよく知られている）によって、高エネルギーで高周波数の光子１０６’からのＸ線放射などの電磁波放射からなる入射光子を、検出器素子のスペクトル感度に対応したこれより低エネルギーで低周波数の光子に変換する。別法として検出器１１０は、シンチレータ層１０９か、テルル化カドミウム亜鉛（ＣｄＺｎＴｅ）、ヨウ化水銀（ＨｇＩ２）、ヨウ化鉛（ＰｂＩ２）、アモルファスセレン（α−Ｓｅ）などの直接変換器材料かのいずれかと一緒にした、アモルファスシリコン（α−Ｓｉ）能動素子を含むフラットパネル式アレイとして形成させることがある。
【００２３】
ＣＴなどの幾つかの動作モードでは、ガントリ１０２と検査対象支持体またはテーブル１０８とが検査対象１１２を開口１１４の内部で長手方向に（すなわち、図１の紙面に対して出入りする方向に延びる軸に沿って）移動させるように協働性に係合されている。幾つかの動作モードでは、ガントリ１０２がＸ線放射源１０４及び検出器１１０を軸１１６の周りに回転させており、一方支持体１０８は検査対象１１２の一連のヘリカルスキャンを提供するように長手方向に移動しており、このヘリカル形のピッチは、ガントリ１０２の１回の全回転の間にテーブル１０８が移動させる長手方向距離の、検出器１１０の直線運動軸方向の長さに対する比と規定される。
【００２４】
一実施形態ではその検出器１１０は、フロート型受信体（すなわち、ガントリと結合させておらずまた患者テーブル１０８とも関連付けされていない検出器１１０）を備える。換言すると、フロート型ディジタル検出器は可搬式でありまたこのためにシステム１００の別の構成要素に対して「フロート状態」にあると共に、システムの残りの部分に対してはテザー（ｔｅｔｈｅｒ）を介して取り付けられている。「フロート型（ｆｌｏａｔｉｎｇ）」という用語はその位置が完全にユーザに従っており、かつガントリ、テーブルあるいはその他のシステムデバイスを介した制御下にないことを意味している。一実施形態では、フロート型受信体１００は、検査対象１１２を発生源１０４とフロート型受信体１１０の間に配置した状態で（例えば、フロート型受信体を検査対象１１２の下に配置することによって）発生源１０４の反対側に配置させることがある。
【００２５】
システム１００は任意選択でさらに、制御モジュールまたは制御装置１２０を含む。制御装置１２０はＸ線放射源１０４及び／または検出器１１０を基準として検査対象支持体１０８（またしたがって、検査対象１１２）を移動させるように構成させたモータ制御モジュール１２２を含むことがあり、また制御装置１２０はさらに、ガントリ１０２内のモータを制御することや、検査対象１１２及び／または検出器１１０を基準としてＸ線照射源１０４を位置決めすることがある。
【００２６】
制御装置１２０は、検出器１１０内の構成要素を制御すると共に検出器１１０からのデータ転送を容易にするように構成させた検出器制御装置１２４を含む。制御装置１２０はさらに、Ｘ線放射源１０４に伝達される電気的駆動パラメータを制御するように構成させた駆動パラメータ制御装置１２８を含む。１つまたは複数のコンピュータ１３０によって、動作条件及び構成を記述したデータを受け取り適当な制御信号を供給するように構成されたバス１３２を介した制御装置１２０への接続が提供される（これについては、セクションＩＩ以降を参照しながら以下でより詳細に記載することにする）。バス１３４及び１３４’は、相互接続１３４’などを介してデータ及び制御信号（例えばＩ／Ｏモジュール１３５に関連するもの）を転送する役割（コンピュータ１３０に対する転送及び／またはコンピュータ１３０からの転送）をする。
【００２７】
システム１００はさらに、バス１３６、バス１３８及びオペレータコンソール１４０を含む。オペレータコンソール１４０はバス１３４を介してシステム１００に結合させている。オペレータコンソール１４０は、１つまたは複数のディスプレイ１４２及びユーザ入力インタフェース１４４を含む。ユーザ入力インタフェース１４４は、キーボード、マウスその他の接触式入力デバイス、音声コマンドに関する機能及び／または別の入力デバイスを含むことがある。１つまたは複数のディスプレイ１４２は、システム１００の動作に関する映像、記号及び／または音声情報、ユーザ選択可能な選択肢、並びに検査対象１１２を記述した画像を提供しており、また様々な動作モードやその他のシステム設定値からのユーザ選択を容易にするためのグラフィカルユーザインタフェースを含むことがある。
【００２８】
システム１００はさらに、適当なインタフェースを通じバス１３６を介してコンピュータ１３０に結合させたメモリデバイス１５０を含む。メモリデバイス１５０は、大容量データ記憶機能１５４及び１つまたは複数の取外し可能データ記憶デバイス・ポート１５６を含む。１つまたは複数の取外し可能データ記憶デバイス・ポート１５６は可搬式データメモリ１５８（光学式、磁気式及び／または半導体式のメモリを含むことがありかつ読み取り及び／または書き込み機能を有することがあるメモリ、並びにまた、揮発性デバイスや不揮発性デバイスとすることがあるか、あるいはこれら前述の機能の組み合わせを含むことがあるメモリ）と着脱可能に結合するように適合させている。
【００２９】
システム１００はさらに、検出器１１０に結合させたデータ入力を有すると共に、バス１３８によって１つまたは複数のコンピュータ１３０に結合させたデータ収集／条件付けモジュール１６０を含む。データ収集／条件付けモジュール１６０は、ディスプレイ１４２のうちの少なくとも１つを介した最終表示のため、並びに大容量記憶デバイス１５４内への将来的な保存及び／または遠隔の施設（図１では図示せず）とのデータ交換のために１つまたは複数のコンピュータ１３０に供給するように、検出器１１０からのアナログデータを取り込んだ後、検出器１１０からのこれらのデータをディジタル形式に変換するためのアナログ対ディジタル変換回路を含む。収集した画像データはデータ収集／条件付けモジュール１６０あるいは１つまたは複数のコンピュータ１３０のいずれか、あるいはこれら両者において条件付けを受けることがある。
【００３０】
可搬式ディジタルＸ線放射検出器１１０及び付随するディジタル信号／画像処理チェーン１６０の構成要素の開発によって、モバイル式放射線撮像システムを含む既存のアナログＸ線製品のコンテキストにこうしたものを挿入し、出力信号／画像をアナログ形式からディジタル形式に変更することが可能となる。これを実施する際に遭遇する問題は、既存のアナログＸ線放射撮像製品と新規導入のディジタル構成要素との間の実際のインタフェースをどのように提供するかである。システム内部で転送しなければならないデータには、ユーザ選択（例えば、ｋＶｐ、ｍＡ及びｍＡｓ）、ユーザ入力なしにユーザに対して表示されるデータ（例えば、電池レベル情報や曝射インジケータ）、あるいはユーザから通常は隠された情報（例えば、内部のエラーメッセージや汎用入力データ）が含まれる。したがって、修正型アナログ撮像システム１００においてＸ線放射技法選択及び発生装置制御器を制御するように、内蔵型ユーザインタフェース１３５及び／またはオペレータコンソール１４０（例えば、ディスプレイ１４２に関連するタッチスクリーン）及び／またはコンピュータ１３０を介してこれを協調するためにその内部に高度なユーザインタフェースを含むようなプログラム可能なディジタルサブシステムが必要である。
【００３１】
ディジタルＸ線放射画像チェーンの構成要素間並びに既存のモバイル式放射線撮像システムの内部におけるシリアルデータの同期式の情報転送及び修正によれば、ユーザ及び規制上の必要性の変更を考慮に入れることによるこれらの問題に対する解決法が提供されると共に、さらにあるＸ線放射検出システムを異なる信号伝達並びにその他の制御及びデータプロトコルを有する異なるＸ線放射検出システムと交換した後のシステム動作が容易になる。したがって既存のモバイル式放射線撮像製品１００を、アップグレードや修正を受けられるモバイル式ディジタル放射線撮像（モバイル式ＤＲ）製品とすることができる。
【００３２】
一実施形態では、システム１００及びモジュール１３５の機能を修正した後に、改修されたまたはシステム１００内に組み込まれた改訂済みハードウェアまたはソフトウェアモジュールを通じてシステム１００の高度化機能に対応するために、システム１００の有効サービス寿命内の節目において恐らくシステム１００の幾つかの関連する修正のうちの１つとして、現場プログラム可能かつ再プログラム可能なインタフェースモジュール１３７を相互接続１３４’と直列に挿入することがある。改訂済みモジュールを追加することによって、システム１００の当初の設計目標には含まれない動作パラメータ、または動作パラメータ修正を提示することができる。したがって、インタフェースモジュール１３７の追加は、データ交換の修正を適当に容易にすることによって、システム１００の付随的な構成要素を不必要に犠牲にすることなくシステム機能の強化が支援される。
【００３３】
システム１００はさらに、電源バス１７２（破線の輪郭で図示）で表した相互接続を介してその他のシステム構成要素に結合させた電源１７０と、電源制御装置１７４と、を含む。幾つかの実施形態では、システム１００は電池などの可搬式電源１７０を装備したモバイル式システムとなるように構成されている。換言すると、システム１００は車輪付きユニットを含むことがあり、また内蔵方式で起電動力供給を受けることがあり、これによって、システム１００が提供する属性群に物理的機敏性が導入される。
【００３４】
救急処置室などの幾つかの設定では、移動性機能の区切り（ａｒｔｉｃｕｌａｔｉｏｎ）が、当該の設定、スイート（ｓｕｉｔｅ）または環境内の用途専用となるのが一般的であるようなシステム１００の移動に限定されることがある。別の設定では、こうした移動性は、検査対象１１２が検査対象１１２の移動と整合したように配置されていない場合や作業量の変動が非周期的であることが自走式で容易なオペレータガイドによる「必要時点での」物理的位置移動が不可能なシステム１００の費用対効果の高い配備に有利とならない場合などにおいて、心臓ユニット、ＩＣＵ及びこうした撮像機能により最重要の支援が提供されるような別の箇所などのエリアに定期的に連続して訪れることを含むことがある。一実施形態では、駆動トレインに結合させた電気動力式のモータによって、システム１００に対するオペレータ指令の動きが実現される。
【００３５】
図２は、図１のシステムのコンテキストで有用な遠隔の表示／入出力構成要素２３５に結合させたバス２３４’の簡略図２００である。バス２３４’は図１のバス１３４’の相手方であり、また表示／入出力構成要素２３５は図１のＩ／Ｏモジュール１３５に類似する。遠隔のＩ／Ｏ構成要素２３５は制御／表示パネル２４１を含んでおり、また複数の手持ち式ユニットを含むことがある。例えばＸ線放射撮像システム１００のコンテキストでは、オペレータ制御を介してＸ線放射源１０４の通電を作動させるために、物理的に単独の手支持可能スイッチ（図１や２では明瞭には図示せず）を有用に利用することができる。
【００３６】
入出力構成要素２３５は、システム１００の様々な構成要素のステータスを表した標識２４１’、２４３’、２４７’及び２４９’のそれぞれを表示するように構成させた光学式ディスプレイ２４１、２４３、２４７及び２４９を含む。入出力構成要素２３５は、標識２８３、２８７、２８８及び２８９だけではなく、接触式入力構成要素２９１及び２９３も含む。
【００３７】
光学式ディスプレイ２４１はＸ線放射源１０４に対するシステム駆動設定を記述した標識２４１’を提供しており、この設定は光学式ディスプレイ２４９上の表示に従って接触式入力構成要素２９１／２９３を介して選択設定と協働して調節可能であるが、別法としてその他のシステム構成要素によって決定され、個別の撮像タスク、以前の計測からの実験的データあるいは画像その他に準拠してユーザ検討によるオペレータの確認を受けることがある。光学式ディスプレイ２４９は、その設定がシステムオペレータにより修正または設定された際にユーザ選択の設定に関する標識２４９’を提供する。
【００３８】
光学式ディスプレイ２４７は図２の例で番号２８７のマークで示したような電池の有効残容量など消耗性または更新性のシステムリソースの標識２４７’を提供する。一実施形態では、光学式ディスプレイ２４７は、複数セグメントの棒グラフ表示構成要素などの棒グラフ表示（図２の例に準拠）を含んでおり、この例ではディスプレイ２４７の左半分では構成要素を実線で表示しかつディスプレイ２４７の右半分では構成要素を破線で表示することによって概ね５０パーセントを示している。
【００３９】
マーク２８３は、光学式ディスプレイ２４３が操作時に適当な注意を要する図１のＸ線放射源１０４などのシステム構成要素の起動に対応することを言語によらない形式で示す。システムのオペレータに選択的に危険を及ぼすことがある有害な累積的影響があるために、こうした放射源の起動を積極的に示すように同時に聴覚信号も利用することが多い。
【００４０】
使用時には、ディスプレイ２４９内に示したような遠隔のＩ／Ｏユニット２３５を介して選択されるかオペレータコンソール１４０を介して選択された所望の設定が次いで信号を通じてシステム１００に伝達されると共に、システムのシステム選択の設定がディスプレイ２４１上に示したように遠隔のＩ／Ｏユニット２３５によって受け取られる。これらの設定は検討を受けると共に、選択された設定に対応する値はシステム１００の操作から得たデータ／画像と共に保存される。有効なシステム動作のためには、保存したデータ、システム設定、標識２４１’及び２４９’が示す情報、並びにオペレータコンソール１４０が示す情報はすべて一致させるべきである。一方、これらのアスペクトに関連するデータは、以下のセクションＩＩで記載するような適応可能なシステム構成要素を介して同期させている。
［ＩＩ．適応可能なシステム構成要素］
このセクションでは、上にセクションＩの図１及び／または２のシステムに適用可能な適応可能かつプログラム可能なアスペクトについて記載する。以下で開示し可能となるようなこれらの考え方は個別の実施形態などの慣例に従って表現しているが、本開示の教示を大幅に変更することなく別の形態の記述や別の応用も利用でき、また利用されることがあることを理解されたい。
【００４１】
図３は、図１のシステム１００のコンテキストで有用なインタフェースアダプタ構成要素３００並びにその他のシステム構成要素との関係を表した簡略ブロック図である。インタフェースアダプタ構成要素３００は以下で説明するような情報／信号拡張機構を提供する。図３では、図１のコンピュータ１３０と機能の面で同様のモバイル式パーソナル・コンピュータ３２８及び中央処理ユニット３３０を表しており、これらはテンプレート部分３５３と累積データ部分３５５を含むプログラム可能メモリ３５１を包含したインタフェースモジュール３３７を通して、バス３３４’を介して遠隔の表示／制御／入出力構成要素３３５及び／または遠隔のハンドスイッチ３３５’と結合させている。
【００４２】
テンプレート部分３５３は、目下のシステム構成を記述した情報、並びに動作特性に関連するコンピュータ読み取り可能命令及びそのシステム１００を成す構成要素に関連するコマンドを含むと共に、テンプレート部分３５３にはシステム１００を構成し直す時点で専門のスタッフによって追加的な情報が与えられることがある。累積データ部分３５５はシステム１００の動作に関する目下の情報、並びにシステム１００の内部のサブシステム構成要素に関連する経過履歴記録を維持している。
【００４３】
図１の電源１７０に類似する電源アセンブリ３７０は、インタフェースモジュール３３７を介してステータス信号を提供する。ハンドスイッチ３３５’に結合させた押しボタン３９１は、図２を参照して記載したもの及び／または図１のモニタ／ディスプレイ１４２など様々なディスプレイのオペレータ検査に準拠して、撮像用のＸ線放射発生の起動に関するフェールセーフの役目をするオペレータ制御子を提供する。
【００４４】
インタフェースアダプタ構成要素３００は例えば、追加したまたは交換した構成要素に準拠してシステム１００の構成要素間での協働に関する信号伝達その他の機能上のアスペクトを修正することがある。例えば、システム１００の一部分として当初供給されたアナログ検出システムを図１の検出器１１０などのディジタル検出システムと交換すると、制御信号、システムコマンド及びステータス信号伝達、システム電力消費変数並びにシステム機能は、システム設計の初期段階で想定不可能であり、そのためにシステム１００を初めに製作したときにセンサやその他の動作構成要素内に包含することが不可能であったような修正を受けることがある。
【００４５】
したがって、これらの改訂済みシステム機能に対応すると共に、既存のインフラの内部で追加したモジュールの調和した相互組み込みを促進するために、図３のインタフェースアダプタ／モジュール３３７（図１のプログラム可能インタフェースモジュール１３７と類似したモジュール）などの現場プログラム可能インタフェース構成要素を利用することがある。追加のシステム構成要素が独立の製造者から導入され、また複数のレベルに対する堅牢なシステム機能に関連したすべてのシステムレベルにおける詳細な相互組み込みデータを含まないときにも、これらの改訂が実施されることがある。換言すると、インタフェースアダプタ／モジュール３３７によって、システム１００が当初は可能でなかった機能の拡張、並びに拡張または修正したシステム属性に準拠した信号伝達や表示の更新が提供される。
【００４６】
その結果、システム１００の当初の購入者や目下の所有者は、当該購入者による後からの決定に準拠して機能の増強を実現するように事前の製品配備及び投資をうまく活用することが可能である。さらに、こうした機能は製造標準、互換性要因及びプロトコルが様々であることから生じることがある不利益を過度に課することなく実現される。他方これによって、Ｘ線放射撮像システムやその他の医用診断システムが一般に目的とする特に有益な用途を提供することが可能である。
【００４７】
インタフェースアダプタ構成要素３００は、モバイル式コンピュータ（すなわち、ＰＣ）３２８及び／または中央処理ユニット３３０などのインフラ構成要素と表示／制御ユニット３３５やハンドスイッチ３３５’などの制御構成要素との間での信号及びデータの結合のため、並びに入出力機能の拡張のための機能を含む。典型的には、モバイル式コンピュータ３２８、中央処理ユニット３３０、表示／制御ユニット３３５、ハンドスイッチ３３５’などの構成要素に対する相互接続は、システム１００の従来のシステム実施形態に関連するインフラ構成要素を意味している。
【００４８】
これらの相互接続は、同期式や非同期式のシリアルデータプロトコルとすることがあるシリアル信号交換プロトコルに対応することがあり、またパラレル信号伝達機能を含むことがある。インタフェースアダプタ３３７は例えば、読み取り／書き込みメモリ３５１内部に包含された情報を含み、これにより、ハードウェア及び／またはソフトウェアの変更を通じたシステム修正の結果として引き起こされる検討事項を考慮に入れてシステム修正前からシステム１００を構成していた構成要素を含むシステム構成要素間での信号／データ変換機能が提供される。
【００４９】
読み取り／書き込みメモリ３５１は、従来の現場プログラム可能なゲートアレイを備える（例えば、現場サービス技術者によって供給されるデータを介して更新可能とする）ことがある。現場プログラム可能なゲートアレイは当技術分野で知られていると共に、例えば、Ｘｉｌｉｎｘ（本社：２１００  Ｌｏｇｉｃ  Ｄｒｉｖｅ、  Ｓａｎ  Ｊｏｓｅ、  ＣＡ  ９５１２４−３４００）、Ｏｐｅｒａ  ｏｆ  Ｏｓｌｏ（Ｎｏｒｗａｙ）、Ａｌｔｅｒａ（本社：１０１  Ｉｎｎｏｖａｔｉｏｎ  Ｄｒｉｖｅ、  Ｓａｎ  Ｊｏｓｅ、  ＣＡ  ９５１３４）、並びに別の製造者及び納入者から入手可能である。
【００５０】
こうしたデータは、コンピュータや機械で解釈可能な様々なタイプの命令を具現化している搬送波上の変調の形で導入されることもある。例えば、光学式ディスク（ＣＤまたはＤＶＤ）や別のデータ発生源などの取外し可能データ記憶デバイス１５８または着脱可能コンピュータ読み取り可能媒体を取外し可能記憶ポート１５６を介してシステム１００に結合させることがあり、あるいはこうした命令は、遠隔のデータ発生源や遠隔コンピュータ（図９に関連して以下で検討する）、インターネット、あるいは別の適当で承認済みの発生源を介するなど別の認可された機構を介して供給されることがあり、またインタフェースアダプタ１３７／３３７に対して直接加えられることがある。
【００５１】
読み取り／書き込みメモリ３５１はさらに、１つまたは複数のシステム構成要素の目下のステータスを表すデータを保存することが可能なフラッシュ・メモリなどの不揮発メモリ構成要素を含むことがある。こうしたデータの例には、例えば１つまたは複数の電源構成要素１７０を交換した後にシステム１００が起動された回数、最新の充電サイクルに関するこうした電源構成要素１７０の放電深度を示すデータ及び／または別の関連データ、現在のシステム構成を具体的に記述したデータ（例えば、検出器の種類、関連する電力要件及び／または典型的な動作パラメータ、様々なシステム構成要素の据付日またはサービス／更新日）を含むことがあり、またさらに任意選択で、周辺のオペレーティングシステム条件を記述したデータ（温度、達成される電源電圧レベル、電源からの計測電流ドロー（ｄｒａｗ）など）を含むことがある。
【００５２】
システム１００、遠隔のモジュール２３５及びインタフェースアダプタ構成要素３００と協働させる処理法の実施形態、並びにこれらの協働的係合に関連する恩恵については、図４及び５を参照しながら以下のセクションＩＩＩでさらに詳細に記載することにする。
［ＩＩＩ．処理法の実施形態］
前セクションでは、システム修正に関する機能の向上に関して以前から存在していたシステムの構成要素間に割り入れることが可能なモジュールについて記載した。このセクションではさらに、一連の実施形態の動作を記述するための手段として当該セクションの開発及び適応を利用しており、この際こうした実施形態に関する具体的な処理法について対応する流れ図を参照して記述している。１つまたは複数の流れ図を参照することによって処理法を記述しているため当業者は、１つまたは複数のプロセッサがコンピュータ読み取り可能媒体上で具現化されたコンピュータ読み取り可能命令に応答することによってその命令が当該処理法並びに後続の改訂を実現するように構成されているプログラム、ファームウェア、またはハードウェアを開発することが可能である。
【００５３】
これらのキャパシティは、１つまたは複数のプロセッサを含む適当なコンピュータを用いコンピュータ読み取り可能媒体などの製造物の形で具現化された命令を実行することによって、あるいは搬送波の形に具現化された変調信号として実現されることが多い。そのため、コンピュータ読み取り可能命令は、改訂した機能を記述した改訂済みコンピュータ読み取り可能情報を受け取るためのキャパシティを含むことがあり、この情報は、構成要素の代替によるシステム１００のアスペクトの改訂、データ処理構造の改訂、その他に関連することがある。同様に、サーバ・コンピュータプログラム、ファームウェア、またはハードウェアにより実行される処理法はまた、コンピュータ実行可能命令によって表現されている。本開示の処理法は、コンピュータ（例えば、図１のコンピュータ１３０）の一部であるファームウェアやハードウェア、及び／またはインタフェース適応可能な構成要素３００上またはこれらによって実行することによって、１つまたは複数のプログラムモジュールによって実行される。
【００５４】
幾つかの実施形態では、本明細書に開示した処理法は、１つまたは複数のプロセッサ（図１のコンピュータ１３０内に包含されるかこれに関連するプロセッサなど）によって実行したときに対応する処理を実行させる一連の命令を表した搬送波の形で具現化されたコンピュータデータ信号として実現される。別の実施形態では、本明細書に開示した処理法は、図１のコンピュータ１３０内に包含されるかこれに関連する１つまたは複数のプロセッサなどのプロセッサに対して、対応する処理法の実行を指示することが可能な実行可能命令を有するコンピュータアクセス可能媒体として実現される。多様な実施形態において、その媒体は磁気媒体、電子媒体、あるいは電磁／光学媒体である。
【００５５】
より具体的には、コンピュータ読み取り可能なプログラムの実施形態では、そのプログラムはＪａｖａ（商標）、Ｓｍａｌｌｔａｌｋ（商標）またはＣ＋＋などのオブジェクト指向言語を用いてオブジェクト向けに構造化することが可能であり、またこのプログラムはＣＯＢＯＬやＣなどの手続き型言語を用いて手続き向けに構造化することが可能である。ソフトウェア・コンポーネントは、アプリケーションプログラム・インタフェース（ＡＰＩ）、あるいはリモート・プロシージャ・コール（ＲＰＣ）、共通オブジェクト・リクエスト・ブローカー・アーキテクチャ（ＣＯＲＢＡ）、コンポーネント・オブジェクト・モデル（ＣＯＭ）、分散型コンポーネント・オブジェクト・モデル（ＤＣＯＭ）、分散型システム・オブジェクト・モデル（ＤＳＯＭ）及び遠隔メソッド呼び出し（ＲＭＩ）などのプロセス間通信技法など、当業者によく知られた多くの方法のうちのいずれかによって連絡することができる。これらのコンポーネントは、図１のコンピュータ１３０にあるようにわずか１つのコンピュータ上で実行することや、複数のコンピュータ上で実行することがある。
【００５６】
図４及び５は、図１のシステム１００において有用性を備えた処理法４００及び５００のそれぞれを記述した流れ図である。上で記載した処理法４００及び５００は、ハードウェアやソフトウェア、あるいはこれらの組み合わせとして実現することがある。処理法４００及び５００は、コンピュータベースの制御装置内で機械による読み取り及び実行が可能な命令を追加または削除することによって更新されることがある（これについては、以下において図９を参照しながらセクションＶＩでさらに詳細に記載することにする）。
【００５７】
図４は、例えば図１のディスプレイ／インタフェース１４２、図２の遠隔の表示／入出力構成要素２３５、及び図１のコンピュータ１３０内で表された値に関連する各値を協調させるように構成させた処理法４００の流れ図を表している。処理法４００はブロック４０５で開始される。
【００５８】
クエリータスク４１０では、処理法４００は、コンピュータ１３０、オペレータコンソール１４０及び／または入出力構成要素２３５に関連する１つまたは複数の値が一致していない時点、あるいは修正済みである時点を決定する。これらの値は、システム推奨のまたはデフォルトのフィールド値（例えば、コンピュータ１３０によって導出される値）とすることや、例えば遠隔の表示／入出力構成要素２３５、ディスプレイ１４２に関連するタッチスクリーンその他のＩ／Ｏデバイスのいずれかによってオペレータが入力した値とすることがある。選択されたこれらの値はシステム１００に関する当初配備時点の値と整合する値レンジを外れることがあるが、例えばインタフェースアダプタ３３７の読み取り／書き込みメモリ３５１内に入力されるデータに反映されるような（したがって、現在のシステム１００の機能のレンジ域内になるように）システム１００に対する追加や修正によって利用可能とさせた拡張した値レンジの域内となることがある。これらの値はｋＶｐ値、ｍＡ値、あるいは実施中の計測に関連する別の値とすることがある。
【００５９】
クエリータスク４１０がこれらの値の間に不一致が存在すると判定すると、制御はブロック４１５に進む。ブロック４１５において、処理法４００は値のどれが修正されたかを決定する。例えば、システム１００の修正に従って図１の照射源１０４に関するピーク電圧修正か電流修正か別の駆動パラメータ修正かが当てはまることがあり、またオペレータコンソール１４０、表示及びＩ／Ｏ構成要素２３５のうちの１つまたは幾つかの上で、あるいはコンピュータ１３０によってこれが変更されていることがある。次いで制御はブロック４２０に進む。
【００６０】
ブロック４２０では、図３のインタフェースアダプタ３３７において修正値が収集される。これらの値は保存された値及びシステムコマンドと比較されており、ここでこの保存データは以下に記載する図５の処理法５００を介して変更可能とすることができる。次いで制御はブロック４２５に進む。
【００６１】
ブロック４２５では、インタフェースアダプタ３３７が様々なシステム構成要素間のパラメータ値を協調させる。その結果、オペレータコンソール１４０及び／または入出力構成要素２３５に送られてこれらの上に表示されるパラメータ値は一致すると共に、例えばコンピュータ１３０によって形成して処理した任意の診断画像に関連するデータとも一致する。さらにインタフェースアダプタ３３７はシステム１００の別の部分に適宜伝達されるシステムデータのうちの幾つかの形式を抑制するようにプログラムされることがある。
【００６２】
次いで処理法４００はブロック４３０で終了となる。またクエリータスク４１０が値が一致していると判定したときも、処理法４００はブロック４３０で終了となる。
【００６３】
図５は、システム１００内部の消費性構成要素の交換と整合した所望のシステム機能を実現するために、ハードウェアの修正に応答してシステム１００の動作に関する変数を更新するように構成させた処理法５００の流れ図を表しており、この交換は「同類（ｌｉｋｅ−ｋｉｎｄ）」の交換のことや、システム１００の動作及び／またはメンテナンスに関連する１つまたは複数の動作パラメータに関する差異を表すことがある。処理法５００はブロック５０５で開始される。処理法５００の開始はスタンドアロンのソフトウェアまたは命令組の修正に起因することや、システム１００内部に以前には組み込まれていなかった構成要素を含むようなシステム修正、あるいはシステム１００の適当で確実な動作と整合して適当で高信頼性の有効サービス寿命を提供していた電池１７０など消費性部品のルーチンの交換のアスペクトとしてのシステム修正を反映することがある。
【００６４】
ブロック５１０及び５１５では、内部不揮発メモリがアクセスを受けると共に照合される。例えば、これはシステム１００の内部にあるメモリとすることがあり、かつ／または、図３の読み取り／書き込みメモリ３５１の一部分を含む現場プログラム可能ゲートアレイを含むことがあり、また図１のメモリシステム１５０など冗長な別の不揮発メモリ構成要素を含むことがある。次いで制御はクエリータスク５２０に進む。
【００６５】
クエリータスク５２０では、１つまたは複数の保存データ構成要素の修正（現場サービスの一部として交換またはアップグレードを受けることがあるシステム構成要素に特異的な同一性及び動作データなど）の望ましさに関する判定が実施される。こうした評価は一般に、有資格のサービススタッフによる同時検討に準拠して実施されており、またこうした評価は、日常のメンテナンス構成要素（電池の同じ種類または異なる種類の電池との交換）からより複雑なシステム修正（プロセッサの交換、さらには当初提供された当時は最新式であったアナログ検出器アセンブリや信号プロセッサに代えてディジタル検出器アレイ及び付属の信号プロセッサを提供することなど画像の検出及び処理の全体群の交換）までに及ぶことがある。
【００６６】
クエリータスク５２０がその修正が望ましいと判定してこれを承認したときは、制御はブロック５２５に進む。ブロック５２５では、修正されたデータ及び／または命令組がシステム１００及び／または読み取り／書き込みメモリ３５１にとって利用可能となると共に、システム１００内部に含められる。次いで制御はブロック５３０に進む。
【００６７】
ブロック５３０では、修正が照合される。このためには、システムデータの修正は典型的には、（ｉ）信頼性を保証するようなメモリシステムの動作ステータスの決定と、（ｉｉ）当該メモリ内に保存されたシステム記述子のバージョン及び検討と、（ｉｉｉ）改訂済みまたは改訂可能なシステムパラメータを含む別の情報とこれら記述子の比較と、（ｉｖ）目下のシステム構成に関連する改訂済みデータ、命令組及び／または較正データの提供または改訂と、（ｖ）改訂済み情報の受信の照合と、を含む。
【００６８】
クエリータスク５２０により修正が望ましいと判定されないとき、あるいはブロック５２５及び５３０に関連する工程が実行済みかつ照合済みであるときは、制御はブロック５３５に進む。次いで処理法５００は終了となり、その他のシステム機能が続けられるか開始される。
【００６９】
開示した処理法、考え方及びサブシステムによって実現される利点は、少なくとも以下の７つの恩恵を含む。
【００７０】
１．  ユーザインタフェース（すなわち、Ｉ／Ｏユニット２３５／３３５）とオペレータコンソール１４０のいずれの上で生じた変化も、システム１００全体で同時協調される。同様に、技法ディスプレイ（２４１／２４３／２４７／２４９）及びモニタ１４０のすべてが、常に協調したデータすなわち同じ情報を表示している。
【００７１】
２．  インタフェースモジュール３３７によって、Ｉ／Ｏユニット２３５とコンピュータ１３０の間でｋＶｐ及びｍＡ選択の協調が照合される。次いでコンピュータ１３０は、画像処理のための技法を利用し、モニタディスプレイ１４２を更新する。
【００７２】
３．  インタフェースモジュール３３７によって、ｋＶｐ及びｍＡ選択がコンピュータ１３０からＩ／Ｏユニット２３５／３３５に送られる。次いでインタフェースモジュール３３７は選択した技法を、ユーザがあたかもＩ／Ｏユニット２３５／３３５上で当該技法を選択したかのようにしてシステム制御装置／コンピュータ１３０に送信する。
【００７３】
４．  インタフェースモジュール３３７によって、コンピュータ１３０とＩ／Ｏユニット２３５／３３５の間で交換されるすべての制御及びデータ信号が傍受されており、これによってその他のシステムメッセージ（典型的には、Ｉ／Ｏユニット２３５／３３５上に表示される）をディジタルシステムで利用できるようにコンピュータ１３０に伝達することが可能である。これらのメッセージはシャットダウン・ステータス、エラーメッセージ、電池警報、曝射メッセージ、その他に関したユーザ向けのものとなる。
【００７４】
５．  インタフェースモジュール３３７はＩ／Ｏユニット２３５／３３５にメッセージを書き込むことが可能であるため、システム１００上に以前には存在していなかったディジタル画像チェーンに関する新たなメッセージを追加することが可能である。これらのメッセージは、ディジタルシステム・フォールト、オペレータコンソール１４０からのユーザ要求のシャットダウン、ディジタル画像エラーメッセージ、その他に関したユーザ向けのものとなる。
【００７５】
６．  インタフェースモジュール３３７によって、ｋＶｐ及びｍＡｓ選択がＩ／Ｏユニット２３５／３３５からコンピュータ１３０に送られる。次いでコンピュータ１３０は、画像処理のための技法を利用し、モニタディスプレイ１４２を更新する。
【００７６】
７．  インタフェースモジュール３３７は、離散的なパラレルＩ／Ｏとして存在する任意の一般システムＩ／Ｏ情報、またはシリアル・インタフェース上のデータをコンピュータ１３０に送信することが可能である。
【００７７】
具体的には、システム１００を当初製造したのと異なる納入者や製造者からのモジュールの包含によるシステム修正にまつわる問題に対応し、適当なソフトウェア修正を介してシームレスに一体化し包含できることもある。しかし、技法データ以外に、コリメータ、ハンドスイッチ３３５’、インタロック、駆動ハンドルを含むシステム構成要素、並びに別の有用な構成要素向けのステータスを送信するのに使用される汎用Ｉ／Ｏ信号のすべても、本明細書に開示した処理法及び装置を用いてコンピュータ１３０に供給することが可能である。こうした一体化によって、修正型システム１００に対する機能性及びプログラム可能性の増大が得られる。
［ＩＶ．グラフィカルユーザインタフェース（ＧＵＩ）］
図６、７及び８はそれぞれ、図１のシステムにおいて利用可能なＧＵＩ６００、７００及び８００を表している。図６の例示的なＧＵＩ６００は、患者データの選択または入力を可能とさせ、記録の検索を容易にさせ、また図５の処理法５００によってその機能及び機能が修正を受けることがある別の機能を提供することができる（この修正は例えば、システム１００に対する修正を反映するため、並びに、例えば（ｉ）Ｉ／Ｏモジュール１３５（図１）／遠隔の表示／入出力構成要素２３５（図２）と、（ｉｉ）オペレータコンソール１４０（図１）内のディスプレイ１４２と、（ｉｉｉ）協働その他の理由でメモリ１５０（図１）内に保存された記録及び／または遠隔の箇所に送信された記録の間でデータ協調を維持するためであり、これによって相互一致が促進されると共に、計測を記述したパラメータをそれぞれが正確に反映することが保証される）。
【００７８】
ＧＵＩ６００は通常、カレンダーアイコン６０２（１）、フォルダアイコン６０２（２）、ツールアイコン６０２（３）及び／またはその他のシステム機能アイコンエリア６０４（４）を含み得る汎用ツール６０２を含む。ＧＵＩ６００はさらに、検索メニュー６０４（１）、日付別検索プルダウンメニュー６０４（２）、仮想キーボードアイコン６０４（３）及び／またはテキスト入力ウィンドウ６０４（４）などの編成ツール６０４を含むことがある。一実施形態では、仮想キーボードアイコン６０４（３）は、接触起動させるとテキストウィンドウ６０４（４）を介して想定される得るようなテキスト入力の出現／消去を可能としており、またフィルタリスト機能６０４（５）、及び／またはリフレッシュリスト機能６０４（６）を含むことあるいはこれらに影響を与えることがある。
【００７９】
編成ツールエリア６０４の下側には、図６の例で示したような記録情報バー６０８を含めることがある。記録情報バー６０８は、例えば日付フィールドラベル６０８（１）、患者名フィールドラベル６０８（２）、患者識別フィールドラベル６０８（３）、受付番号フィールドラベル６０８（４）、記述フィールドラベル６０８（５）、医師名フィールドラベル６０８（６）、モダリティ記述フィールドラベル６０８（７）、ステータスフィールドラベル６０８（８）、及び／または箇所フィールドラベル６０８（９）などの記述フィールドを含むことがある。
【００８０】
図６の記録情報バー６０８の下側にはデータ表示バー６１０を図示している。データ表示バー６１０は、日付フィールドＤ／Ｍ／Ｙ６１０（１）、患者識別フィールドＮＥＷ  ＩＤ＃．．．６１０（２）、患者名フィールドＮＥＷ  ＰＡＴＩＥ．．．６１０（３）、受付番号フィールド２００６０２．．．６１０（４）、及び／またはステータスフィールド６１０（５）（この例では「ＣＯＭＰＬＥＴＥＤ」と示されている）などのデータ記録フィールド６１０のうちの関連する選択フィールドに対応するデータ入力を含むことがある。
【００８１】
情報バー６０８／データ表示バー６１０に関連する情報は、システム１００が定期的メンテナンスに関連して、あるいは例えば図５の処理法５００を参照しながら上述したような非定期のシステム機能修正に関連して修正されたときに、有資格の技師によって修正を受けることがあり、また図３のインタフェースアダプタ３３７の同期キャパシティも、ソフトウェア修正を介して同時強化されることがある。別法として、こうした協調性のソフトウェア修正は、埋込式のＷｅｂサーバその他の制御装置などの１つまたは複数の遠隔コンピュータを介して実現させることがある（これについては、図９を参照しながら以下のセクションＶにおいてより詳細に記載することにする）。
【００８２】
一実施形態では、フィルタリスト機能（アイコン６０４（５）を介して参照を受けることがある）によって、記述フィールド６０８（Ｎ）のうちの選択した１つまたは幾つかを用いた検索を容易にしている。例えば、記録が検索を受けた後、医師名に従った編成に準拠してこれを表示させ、これによってユーザ指定の検索基準組と整合した方式による保存情報に対する極めて迅速なアクセスを容易にすることがある。
【００８３】
ＧＵＩ６００はまた、例えばキーボード機能、タッチスクリーン、マウスまたは音声コマンドなどの従来の接触／センサ入力様式によって提供される選択に準拠してある具体的なＧＵＩ６００の内部での表示された構成要素の修正を容易にするための従来式スクロールバー６１２を含むことがある。一連のシステムコマンドアイコン６１４を設けることがあり、これには例えば、患者情報アイコン６１４（１）、「追加患者」機能アクセスポイント６１４（２）、削除機能アクセスポイント６１４（３）、検査開始機能アクセスポイント６１４（４）、及び／または緊急検査機能アクセスポイント６１４（５）を含むと有用となり得る。
【００８４】
一実施形態では、患者情報アイコン６１４（１）は、別の接触式入力デバイス、音声起動式起動機構その他を介してタッチスクリーン起動式及び／またはアクセス可能とすることがある。一実施形態では、患者情報アイコン６１４（１）の起動によって一般患者情報へのアクセスが提供されることがある。
【００８５】
ＧＵＩ６００はさらに、例えばｕｎｉｔｓ  ｒｅｍａｉｎｉｎｇ６３６（１）、メッセージログエリア６３６（２）、ＱＡＰエリア６３６（３）、及びＸ線放射源１０４が現在通電できないことを示す「曝射禁止」インジケータ６３６（４）に関する指示を提供することがあるようなステータス／システムレベル標識ディスプレイ６３６を含むことがある。
【００８６】
「曝射禁止」インジケータ６３６（４）は、図１のＸ線照射源１０４などのＸ線放射源がシステム１００による通電ができない状態にあること（すなわち、様々な安全上の何らかの理由によってプロトコルによって「ロック状態（ｌｏｃｋｅｄ  ｏｕｔ）」にある、あるいはシステム１００の物理的ステータスと不整合状態にあるか手順内のある段階で不整合状態にあること）を示すためにＩＥＣ記号を利用している。図６の例では、ＧＵＩ６００が表示されている間にＸ線放射源１０４を通電させることは適当でない、というのは通電に先立つ条件がこの時点では満たされていないからである。しかし、以下の図８のグラフィカルユーザインタフェース８００に関しては、６３６（４）など「曝射禁止」インジケータの表示は、システム１００にこうした通電を排除させるような条件のディスプレイを検討するためにオペレータが画面上のインジケータの位置に触れるべきであることの指示となる。ＧＵＩ６００を介したデータ入力／照合に続いて、図７に表した例などＧＵＩ７００がユーザに対して示される。
【００８７】
図７のＧＵＩ７００は、例えば図６のＧＵＩ６００を用いたデータ入力を介した特定に従って現在の患者に関連する解剖学的検査の選択に適したプロトコルを容易にするようにように適合させたディジタル画像検査画面を表している。ＧＵＩ７００は、図６の患者情報アイコン６１４（１）に類似する患者情報アイコン７１４と、図７の例では「ＳＥＬＥＣＴ  ＰＲＯＴＯＣＯＬＳ（プロトコル選択）」を表示しているモダリティ指示フィールド７２０と、利用可能プロトコルヘッダー７２２と、選択済プロトコルヘッダー７２４と、を含む。
【００８８】
ＧＵＩ７００はさらに、ＡＢＤＯＭＥＮ７３４（１）、ＣＨＥＳＴ７３４（２）、ＳＨＯＵＬＤＥＲ７３４（３）、ＥＸＴＲＥＭＩＴＩＥＳ＿ＵＰＰＥＲ７３４（４）、ＰＥＬＶＩＣ＿ＧＩＲＤＬＥ７３４（５）、ＥＸＴＲＥＭＩＴＩＥＳ＿ＬＯＷＥＲ７３４（６）、ＳＰＩＮＥ７３４（７）及びＨＥＡＤ７３４（８）などのプロトコル例の中から選択するための選択ボタン７３３及びインジケータ７３４を含んだプロトコルフィールド７３０を含むことがある。このプロトコルの一覧は例示的なものであること、並びに例えばモダリティ指示フィールド７２０及び／またはプロトコルフィールド７３０を介してアクセス可能なプロトコルのメニュー内に含めるプロトコルの数はより多くすることも少なくすることもあり得ること、を理解されたい。利用可能なプロトコルは、例えば、システム１００の修正やシステム１００からの画像の解析で利用されるソフトウェア、及び例えば図３のインタフェースモジュール３３７の適当なプログラミングに準拠して、図５の処理法５００を介して修正されることがある。その結果、インタフェースモジュール３３７は修正型システム機能に対応することが可能であり、またＩ／Ｏモジュール１３５を介して表示されたデータ、オペレータコンソール１４０のディスプレイ１４２（図１）に関連するデータ、データ記憶モジュール１５０、遠隔の表示／入出力構成要素２３５（図２）及び／または図３の表示／制御ユニット３３５内に保存されたデータの間の相互一致性を促進することが可能である。
【００８９】
例えば患者に関連する画像、図６を参照しながら上で記載した別の情報、及びＧＵＩ７００を参照しながら記載した１つまたは複数のプロトコルと共に保存されることがあるデータに関する指示を提供するために、選択したプロトコルに対応するデータがデータフィールド７３６内に表示されることがある。ＧＵＩ６００はさらに、ステータス／システムレベル標識ディスプレイ７３８（この例では、ＵＮＩＴＳ  ＲＥＭＡＩＮＩＮＧ）を含むことがある。ＧＵＩ７００を介したデータ入力／照合に続いて、図８に表した例などＧＵＩ８００がユーザに対して示される。
【００９０】
図８のＧＵＩ８００は、図１のシステム１００に関する曝射パラメータ（ｋＶｐ、ｍＡｓ、プロトコル、その他など）の選択に適したプロトコルを容易にするようにように適合させたディジタル画像検査画面を表している。ＧＵＩ８００は、ＮＥＷ  ＰＡＴＩＥＮＴ  ＩＤラベル８０８と、ＮＥＷ  ＰＡＴＩＥＮＴ  ＩＤフィールド８１０（この例では、「ＮＥＷ  ２００６０２．．．」を表示している）と、図６の患者情報アイコン６１４（１）に類似する患者情報アイコン８１４と、フォルダタブ８２２（１）及び８２２（２）などのコマンドラベルやフォルダタブを介してアクセスを受け、またボタンＣＬＯＳＥ８２２（３）やボタンＤＩＳＣＯＮＴＩＮＵＥ８２２（４）を介してアクセス解除される選択プロトコルラベル８２０と、を含む。ラベル８２４はプロトコルのうちの選択した１つを表示する。フォルダタブ８２２（１）の選択によって、例えばボタン８３３などのボタンを介してプロトコルのメニュー（ＨＩＰ８３４（１）、前／後「ＡＰ」８３４（２）、側面ＬＡＴ８３４（３）その他）へのアクセスが可能となる。
【００９１】
システム制御機能は、ＵＮＩＴＳ  ＲＥＭＡＩＮＩＮＧ８３６（１）、ＭＥＳＳＡＧＥ  ＬＯＧ８３６（２）及びＱＡＰ８３６（３）を含む表示バー８３６内に表示される。制御パネル８４０は、ラベル「ＰＡＴＩＥＮＴ  ＳＩＺＥ：」８４０（１）、「ＭＥＤＩＵＭ  ＡＤＵＬＴ」８４０（２）とラベル付けされた選択サイズを示すラベル、スクロールバー８４０（３）、ラベル「ＲＥＣＥＰＴＯＲ」８４０（４）、並びにフィルムカセッテ８４０（５）に対応するアイコン／選択ボタン、あるいは選択した種類の受信体に対応するフロート型受信体８４０（６）などのディジタル検出器といった選択エリア及びラベルを含む。情報表示エリア８４４は、実行中の検査の種類に関連する情報（この例では、ラベル「ＰＡＴＩＥＮＴ  ＳＩＤＥ」８４４（１）、情報「ＲＩＧＨＴ」及び関連するスクロールバー８４４（２）、ラベル「ＲＥＣＯＭＭＥＮＤＥＤ  ＰＯＳＩＴＩＯＮ」８４４（３）、並びにディスプレイ「ＨＥＡＤ  ＵＰ」８４４（４）で示している）を提供する。
【００９２】
ＧＵＩ８００はさらに、ボタン８５０（２）（選択されたときにシステムをデフォルト値にリセットするボタン）を特定しているラベル「ＲＥＳＥＴ  ＴＥＣＨＮＩＱＵＥ」８５０（１）、ＧＲＩＤパラメータ８５０（４）（このケースでは、「ＩＮ」）を示しているラベル「ＲＥＣＯＭＭＥＮＤＥＤ」８５０（３）、ＳＴＤ（このケースでは、「１００」）を表示している表示エリア８５０を含む。ｋＶｐに関する制御／表示エリア８６０（この例では、「８０」と示している）は、スクロールバー８６０（１）及び８６０（２）を含んでおり、またミリアンペア秒に対応する別の制御表示エリア８６５（この例では、「１０．０」と示している）はスクロールバー８６５（１）及び８６５（２）を含んでいる。したがって、ＧＵＩ６００、７００及び８００によって、患者情報及びデータや、実行しようとする検査に関連する値を提供する／値にアクセスする論理シーケンスにおいてユーザ選択可能なデータ及び制御入力機能が提供されており、またこれらの機能は上述のようなシステム１００に対する修正に準拠して再プログラム可能である。
【００９３】
したがって、システムの機能及び動作はＧＵＩシーケンス６００、７００、８００を介して（例えば、タッチスクリーンを介して）実現されることがあり、またこうして決定された選択はインタフェースモジュール３３７を介してシステム１００のすべての構成要素間で同期させることがある。システム機能は、例えば図５の処理法５００を参照して記載したように、図３のメモリ３５１及び／または図１のメモリ１５０などのメモリ内で適当な命令及びデータのプログラミングを介して拡張されることがある。さらに、ＧＵＩ６００、７００、８００を介してアクセスを受けるかＧＵＩ６００、７００、８００によって表されるアスペクトの範囲はこうしたプログラミングによって変更または拡張されることがある。
【００９４】
その結果、システム１００には改訂済みデータ及び命令が提供される。システム１００の機能の連続性が強化されると共に、システム１００の動作性能及び寿命が向上する。一例として、こうしたことにより促進される技術的効果には、治療優先順位の選別の間、あるいは災害現場から適当な医学的施設まで事故による受傷者を搬送する間（例えば、患者の生存率並びに回復軌道を高めるのに極めて重要となる受傷の決定に直ぐ続く「ゴールデンタイム」の間）における、専門家による瞬時的な計画及び評価のために診断的価値を向上させた放射線画像をディジタルテクノロジーを介して伝送する機能を含む可能性がある。これらの機能及び利点によって、機能面並びに信頼性検討の面からシステムの動作性能の大幅な改善を示すことが可能である。オペレータの検討及び承認と連係した機械制御の動作性能に関するこうした強化は、図１〜８を参照しながら上で記載した構成要素を介して、並びに図９を参照しながら以下のセクションＶに記載するような動作環境と連係し協働することによって実現されることがある。
［Ｖ．ハードウェア及び動作環境］
図９は、別の実施形態をその内部で実施することができる１つまたは複数のコンピュータ９０２を含むハードウェア及び動作環境９００のブロック図である。図９に関する説明は、幾つかの実施形態を連携して実現することができるコンピュータ・ハードウェア及び適当なコンピュータ環境の概要を提供している。コンピュータ実行可能命令を実行するコンピュータに関連して実施形態を記載することにする。しかし、幾つかの実施形態はそのコンピュータ実行可能命令を読み出し専用メモリ内に実現させているコンピュータ・ハードウェアの形態でその全体を実現させることができる。幾つかの実施形態はさらに、タスクを実行するリモート・デバイスを通信ネットワークを介してリンクさせているクライアント／サーバ・コンピュータ環境の形態で実現させることができる。プログラム・モジュールは分散式コンピュータ環境内でローカルとリモートの両方のメモリ記憶デバイスに常駐させることができる。
【００９５】
コンピュータ９０２は、Ｉｎｔｅｌ（Ｓａｎｔａ  Ｃｌａｒａ；ＣＡ）、Ｍｏｔｏｒｏｌａ（Ｓｃｈａｕｍｂｕｒｇ；ＩＬ）、Ｃｙｒｉｘ（Ｎａｔｉｏｎａｌ  Ｓｅｍｉｃｏｎｄｕｃｔｏｒ（Ｓａｎｔａ  Ｃｌａｒａ；ＣＡ）と目下関連する）その他から市販されている１つまたは複数のプロセッサ９０４を含む。コンピュータ９０２はさらに、ランダムアクセスメモリ（ＲＡＭ）９０６、読み出し専用メモリ（ＲＯＭ）９０８、１つまたは複数の大容量記憶デバイス９１０、並びに処理ユニット９０４に対して及び／または互いに対して、及び／または外部の装置に対して様々なシステム構成要素を動作可能に結合させているシステムバス９１２を含む。メモリ９０６、９０８及び大容量記憶デバイス９１０は、コンピュータアクセス可能媒体の形態をしている。大容量記憶デバイス９１０は、より具体的には、コンピュータアクセス可能な不揮発性の媒体の形態をしており、また１つまたは複数のハードディスク駆動装置、フレキシブルディスク駆動装置、光ディスク駆動装置及びテープ・カートリッジ駆動装置を含むことができる。プロセッサ９０４は、これら様々なコンピュータアクセス可能な媒体上に保存されているコンピュータプログラムを実行する。
【００９６】
コンピュータ９０２は、通信デバイス９１６を介してインターネット９１４と通信可能に接続させることができる。インターネット９１４の接続は、本技術分野においてよく知られている。一実施形態では、通信デバイス９１６は、通信ドライバに応答し、当技術分野で「ダイアルアップ接続」として知られる接続を介してインターネットへの接続を行うモデムである。別の実施形態では、通信デバイス９１６は、当技術分野で「直接接続」（例えば、Ｔ１回線など）として知られる接続を介してインターネット９１４にそれ自体が接続されているローカルエリアネットワーク（ＬＡＮ）に接続させたイーサネット（商標）や同様のハードウェア・ネットワークカードを含む。
【００９７】
ユーザは、キーボード９１８やポインティングデバイス９２０などの入力デバイスを介してコンピュータ９０２にコマンドや情報を入力する。キーボード９１８は、本技術分野で知られるようにコンピュータ９０２に対するテキスト情報の入力を可能にしており、また実施形態は特定の任意のタイプのキーボード９１８に限定されるものではない。ポインティングデバイス９２０は、各バージョンのＭｉｃｒｏｓｏｆｔ  Ｗｉｎｄｏｗｓ（商標）のオペレーティング・システムなどのオペレーティング・システムに関連するＧＵＩによって提供される画面ポインタの制御を可能にしている。実施形態は特定の任意のポインティングデバイスや接触式入力デバイス９２０に限定されるものではない。こうしたポインティングデバイス９２０には、マウス、タッチパッド、トラックボール、リモート制御器及びポイント・スティックが含まれる。別の入力デバイス（図示せず）には、マイクロフォン、ジョイスティック、ゲーム用パッド、衛星受信アンテナ、スキャナ、その他を含むことができる。
【００９８】
幾つかの実施形態では、コンピュータ９０２はシステムバス９１２を介して表示デバイス９２２と動作可能に結合されている。表示デバイス９２２は、コンピュータ情報、映像情報及びその他の情報を含む情報を、コンピュータ９０２のユーザが観察できるように表示することを可能にしている。実施形態は、特定の任意の表示デバイス９２２に限定されるものではない。こうした表示デバイスには、陰極線管（ＣＲＴ）ディスプレイ（モニタ）、並びに液晶ディスプレイ（ＬＣＤ）などのフラットパネル・ディスプレイが含まれる。モニタ９２２以外にも、コンピュータ９０２は、プリンタ（図示せず）などその他の周辺入出力デバイスを含むのが典型的である。スピーカ９２４及び９２６は、システムバス９１２を介して伝達されるコマンドに応答して音響信号出力を提供することができる。
【００９９】
コンピュータ９０２はさらに、コンピュータアクセス可能媒体であるＲＡＭ９０６、ＲＯＭ９０８及び大容量記憶デバイス９１０上に保存されていると共にプロセッサ９０４によりアクセスされ実行されるオペレーティング・システム（図示せず）を含む。オペレーティング・システムの例には、Ｍｉｃｒｏｓｏｆｔ  Ｗｉｎｄｏｗｓ（商標）、Ａｐｐｌｅ  ＭａｃＯＳ（商標）、Ｌｉｎｕｘ（商標）、及びＵＮＩＸ（商標）のオペレーティング・システムが含まれる。実施例は特定の任意のオペレーティング・システムに限定されるものではないが、こうしたオペレーティング・システムの構築及び使用法は本技術分野内でよく知られている。
【０１００】
コンピュータ９０２の実施形態は、ある任意のタイプのコンピュータ９０２に限定されるものではない。様々な実施形態では、コンピュータ９０２は、ＰＣ対応のコンピュータ、ＭａｃＯＳ（商標）オペレーティング・システム対応のコンピュータ、Ｌｉｎｕｘ（商標）オペレーティング・システム対応のコンピュータ、あるいはＵＮＩＸ（商標）オペレーティング・システム対応のコンピュータを含む。こうしたコンピュータの構築及び使用法は本技術分野内でよく知られている。
【０１０１】
コンピュータ９０２は、ユーザ制御可能なポインタなどのツールを介してユーザにアクセス可能な機能に関するアイコンその他の標識を表示するＧＵＩを提供するために少なくとも１つのオペレーティング・システムを使用して動作することができる。コンピュータ９０２は、コンピュータ９０２のユーザが、イントラネット、エクストラネット、あるいはＵＲＬ（Ｕｎｉｖｅｒｓａｌ  Ｒｅｓｏｕｒｃｅ  Ｌｏｃａｔｏｒ）アドレスによってアドレス指定されたインターネット９１４のワールドワイドウェッブ・ページにアクセス可能とするために少なくとも１つのオペレーティング・システム内で実行される少なくとも１つのウェッブブラウザ・アプリケーションプログラムを有することができる。この例には、Ｎｅｔｓｃａｐｅ  Ｎａｖｉｇａｔｏｒ（商標）やＭｉｃｒｏｓｏｆｔ  Ｉｎｔｅｒｎｅｔ  Ｅｘｐｌｏｒｅｒ（商標）のブラウザプログラムが含まれる。
【０１０２】
コンピュータ９０２は、遠隔コンピュータ９２８などの１つまたは複数の遠隔コンピュータとの論理接続を使用するネットワーク式環境で動作することができる。これらの論理接続は、コンピュータ９０２とまたはその一部分と結合させた通信デバイスによって実現される。実施形態はある特定のタイプの通信デバイスに限定されるものではない。遠隔コンピュータ９２８は、別のコンピュータ、サーバ、ルータ、ネットワークＰＣ、クライアント、ピア（ｐｅｅｒ）デバイス、あるいは別の共有ネットワークノードとすることができる。図９に示した論理接続は、ローカルエリアネットワーク（ＬＡＮ）９３０及びワイドエリアネットワーク（ＷＡＮ）９３２を含む。こうしたネットワーク環境は、事務所、事業体内コンピュータ・ネットワーク、イントラネット、エクストラネット及びインターネット９１４において一般的である。
【０１０３】
ＬＡＮネットワーク環境で使用する場合、コンピュータ９０２及び遠隔コンピュータ９２８は、通信デバイス９１６の一形態であるネットワークインタフェースまたはアダプタ９３４を介してローカルネットワーク９３０に接続される。遠隔コンピュータ９２８はさらにネットワークデバイス９３６を含む。従来のＷＡＮネットワーク環境で使用する場合、コンピュータ９０２及び遠隔コンピュータ９２８は１つまたは複数のモデム（図示せず）を介してＷＡＮ８３２と通信する。このモデムは、内部モデムとすることも外部モデムとすることも可能であり、システムバス９１２に接続されている。ネットワーク環境では、コンピュータ９０２に関して示したプログラム・モジュールあるいはその一部は、遠隔コンピュータ９２８内に保存することが可能である。
【０１０４】
コンピュータ９０２はさらに電源９３８を含む。上で指摘したように各電源９３８は電池とすることができる。コンピュータ９０２はさらに、例えば機械読み取り可能命令の改訂のための機能を提供するような取外し可能データ記憶デバイス９５８（図１のポート１５６及び取外し可能データ記憶デバイス１５８と類似する）を受け容れることが可能な取外し可能メモリ記憶ポート９５６を含むことがある。コンピュータ読み取り可能命令及び／またはデータはさらに、適当にプログラムされた取外し可能データ記憶デバイス９５８に対する結合を介して、及び／またはインターネット９１４その他の外部相互接続など外部発生源から結合されたコンピュータ読み取り可能情報に対する変調を含んだ搬送波を介してコンピュータ９２０に供給されることがある。
【０１０５】
コンピュータ９０２は、例えば図４及び５の処理法４００及び５００をコンピュータプログラム・モジュールとして実現することによって、モジュールの制御セグメント１２０（図１）、コンピュータ１３０、オペレータコンソール１４０及び／またはデータ収集／条件付けモジュール１６０のうちの１つまたは幾つかとして機能することがある。
［ＶＩ．結論］
コンピュータベースの医用撮像システムについて記載している。本明細書では特定の実施形態について図示し記載したが、提示した特定の実施形態を同じ目的を達成するように計算された任意の機構によって置換することができることは当業者であれば理解されよう。本開示は任意の適応形態や変形形態を包含するように意図している。例えば、手続き用語で記述していても、これらの実現形態が手続き型設計環境や必要な関係を提供できる別の任意の設計環境で実施できることは当業者であれば理解されよう。
【０１０６】
詳細には、処理法及び装置の呼称やラベルは実施形態を限定することを意図していないことは当業者であれば容易に理解されよう。さらに、構成要素に対して追加的な処理法及び装置を付加することが可能であり、構成要素間で機能を配分し直すことが可能であり、かつ実施形態で使用される将来的な改良や物理的考案に対応した新たな構成要素を実施形態の範囲を逸脱することなく導入することが可能である。将来的な通信デバイス、別のファイルシステム、及び新たなデータ種別に対して実施形態を適用できることは当業者であれば容易に理解されよう。本開示で使用している用語は、本明細書に記載したのと同じ機能を提供できるすべてのオブジェクト指向、データベース及び通信環境、並びに代替的なテクノロジーを包含するように意図したものである。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【０１０７】
【図１】Ｘ線放射撮像操作を改善するように構成したシステムの概要の簡略ブロック図である。
【図２】図１のシステムのコンテキストで有用な遠隔の表示／入出力構成要素を表した簡略図である。
【図３】図１のシステムのコンテキストで有用なインタフェースアダプタ構成要素並びにその他のシステム構成要素との関係を表した簡略ブロック図である。
【図４】図１のシステムで有用となり得る処理法を表した流れ図である。
【図５】図１のシステムで有用となり得る処理法を表した流れ図である。
【図６】図１のシステムで有用となり得るグラフィカルユーザインタフェースの図である。
【図７】図１のシステムで有用となり得るグラフィカルユーザインタフェースの図である。
【図８】図１のシステムで有用となり得るグラフィカルユーザインタフェースの図である。
【図９】異なる実施形態を実施することが可能なハードウェア及び動作環境のブロック図である。
【符号の説明】
【０１０８】
１００  Ｘ線システム
１０２  ガントリ
１０４  照射源
１０６  発生源からの照射
１０６’  対象通過後の照射
１０８  検査対象支持体
１０９  シンチレータ
１１０  検出器
１１２  検査対象
１１４  開口
１１６  開口内部の軸
１２０  制御モジュール
１２２  モータ制御装置
１２４  検出器制御装置
１２８  駆動パラメータ制御装置
１３０  コンピュータ
１３２  データバス
１３４  コンソールバス
１３４’  相互接続
１３５  入出力モジュール
１３６  メモリバス
１３７  プログラム可能インタフェースモジュール
１３８  データ収集バス
１４０  オペレータコンソール
１４２  ディスプレイ
１４４  ユーザ入力媒体
１５０  メモリシステム
１５４  大容量記憶装置
１５６  取外し可能記憶ポート
１５８  取外し可能データ記憶デバイス
１６０  データ収集／条件付けモジュール
１７０  電源
１７２  電源バス
１７４  電源制御装置
２００  入出力制御システム例
２３４’  バス
２３５  入出力表示構成要素
２４１  ディスプレイ
２４１’  ディスプレイ上の標識
２４３  ディスプレイ
２４３’  ディスプレイ上の標識
２４７  ディスプレイ
２４７’  ディスプレイ上の標識
２４９  ディスプレイ
２４９’  ディスプレイ上の標識
２８３  標識
２８７  標識
２８８  標識
２８９  標識
２９１  接触式入力構成要素
２９３  接触式入力構成要素
３００  インタフェースアダプタ構成要素
３２８  モバイル式コンピュータ
３３０  ＣＰＵ
３３４’  バス
３３５  入出力構成要素
３３５’  ハンドスイッチ
３３７  インタフェースモジュール
３５１  プログラム可能メモリ
３５３  メモリのテンプレート部分
３５５  メモリの累積データ部分
３７１  電源アセンブリ
３９１  押しボタン
４００  流れ図
４０５  処理法の開始
４１０  クエリータスク
４１５  修正値の決定
４２０  修正値の収集
４２５  値の同期
４３０  処理法の終了
５００  流れ図
５０５  処理法の開始
５１０  メモリへアクセスする
５１５  メモリステータスを照合する
５２０  クエリータスク
５２５  修正データを利用可能にする
５３０  修正値を照合する
５３５  処理法の終了
６００  グラフィカルユーザインタフェース
６０２  汎用ツールアイコン
６０４  編成ツール
６０８  記録情報バー
６１０  データ表示バー
６１２  スクロールバー
６１４  システムコマンドアイコン
６３６  ステータス／システムレベル標識ディスプレイ
７００  グラフィカルユーザインタフェース
７１４  患者情報アイコン
７２０  モダリティ指示現場
７２２  利用可能プロトコルヘッダー
７２４  選択済みプロトコルヘッダー
７３０  プロトコルフィールド
７３３  選択ボタン
７３４  インジケータ
７３５  データフィールド
７３６  データフィールド
７３８  システムレベル標識ディスプレイ
８００  グラフィカルユーザインタフェース
８０８  ラベル
８１０  データフィールド
８１４  患者情報アイコン
８２０  ラベル
８２２  フォルダタブ
８２４  ラベル
８３３  ボタン
８３４  ラベル
８３６  表示バー
８４０  制御パネル
８４４  情報表示バー
８５０  表示エリア
８６０  制御／表示エリア
８６５  制御／表示エリア
９００  環境
９０２  コンピュータ
９０４  プロセッサ
９０６  ＲＡＭ
９０８  ＲＯＭ
９１０  大容量記憶デバイス
９１２  システムバス
９１４  インターネット
９１６  通信デバイス
９１８  キーボード
９２０  ポインティングデバイス
９２２  表示デバイス
９２４  スピーカ
９２６  スピーカ
９２８  遠隔コンピュータ
９３０  ローカルエリアネットワーク
９３２  ワイドエリアネットワーク
９３４  ネットワークインタフェース
９３６  ネットワークデバイス
９３８  電源
９５６  データデバイス・ポート
９５８  取外し可能データ記憶デバイス
【図１】
0005586125.tif 000002
【図２】
0005586125.tif 000003
【図３】
0005586125.tif 000004
【図４】
0005586125.tif 000005
【図５】
0005586125.tif 000006
【図６】
0005586125.tif 000007
【図７】
0005586125.tif 000008
【図８】
0005586125.tif 000009
【図９】
0005586125.tif 000010